(57)【特許請求の範囲】
【請求項１】
移動通信システムの無線基地局装置本体に実装され、移動局に対する制御チャネル及び通話チャネルのうちの任意の一方のチャネルの機能をソフトウェア制御により共通のハードウェア構成で実現するチャネルカードにおいて、
前記無線基地局装置本体への実装後の立ち上げ時に、前記装置本体へ自カードが制御チャネル用カードとして起動すべきか通話チャネル用カードとして起動すべきかを問い合わせるチャネル種別問い合わせ要求を送信し、前記装置本体から制御チャネル用カードとして起動すべきか通話チャネル用カードとして起動すべきかを指示するチャネル種別指定指令を受信すると、指示されたチャネル種別に対応したソフトウェアを起動し、該当チャネル種別のチャネルカードとしての機能動作を開始する手段を有することを特徴とするチャネルカード。
【請求項２】
前記チャネルカードが、前記装置本体からの通話チャネル用カードを指示するチャネル種別指定指令に従って通話チャネル用カードとして一旦起動した後、前記装置本体から制御チャネル用カードを指示するチャネル種別指定指令を受信すると、制御チャネル用カードとして再起動することを特徴とする請求項１記載のチャネルカード。
【請求項３】
移動通信システムの無線基地局装置において、
移動局に対する制御チャネル及び通話チャネルのうちの任意の一方のチャネルの機能をソフトウェア制御により実現する共通のハードウェア構成を有し、制御チャネル用カード及び通話チャネル用カードに共通な実装位置に実装され、立ち上げ時に、自カードが制御チャネル用カードとして起動すべきか通話チャネル用カードとして起動すべきかを問い合わせるチャネル種別問い合わせ要求を出力し、制御チャネル用カードとして起動すべきか通話チャネル用カードとして起動すべきかを指示するチャネル種別指定指令を受けると、指示されたチャネル種別に対応したソフトウェアを起動し、当該チャネル種別のチャネルカードとしての機能動作を開始する複数のチャネルカードと、
自装置の運用形態を判別し必要な制御チャネル用カードの数量を算出し、前記複数のチャネルカードの各々からの前記チャネル種別問い合わせ要求に基づいてこれらチャネルカードの実装状況を認識し、前記必要数量分のチャネルカードに対し制御チャネル用カードを指示する前記チャネル種別指定指令を送信し、残りのチャネルカードに対し通話チャネル用カードを指示する前記チャネル種別指定指令を送信する制御手段とを備えることを特徴とする無線基地局装置。
【請求項４】
前記複数のチャネルカード各々の動作状態を監視し、制御チャネル用カードとして割り当てたチャネルカードの異常を検出すると、前記制御手段に代替えの制御チャネル用カードの割り当てを要求するリソース制御要求を送信する監視手段を備え、
前記制御手段が、前記監視手段から前記リソース制御要求を受信すると、通話チャネル用カードとして割り当てたチャネルカードの中から代替えの制御チャネル用カードとして割り当てし直すチャネルカードを選択し、該当チャネルカードに対し制御チャネル用カードを指示する前記チャネル種別指定指令を送信することを特徴とする請求項３記載の無線基地局装置。
【請求項５】
各々が移動局に対する制御チャネル及び通話チャネルのうちの任意の一方のチャネルの機能をソフトウェア制御により共通のハードウェア構成で実現する複数のチャネルカードを備えた移動通信システムの無線基地局装置のチャネルカード割当方法において、
無線基地局装置の運用形態を判別し必要な制御チャネル用カードの数量を算出し、
前記各チャネルカードの立ち上げ時に、制御チャネル用カードとして起動すべきか通話チャネル用カードとして起動すべきかを問い合わせるチャネル種別問い合わせ要求を発生し、
前記チャネル種別問い合わせ要求に基づいてこれらチャネルカードの実装状況を認識し、前記必要数量分のチャネルカードに対し制御チャネル用カードとしての起動を指示するチャネル種別指定指令を与え、残りのチャネルカードに対し通話チャネル用カードとしての起動を指示するチャネル種別指定指令を与え、
前記各チャネルカードで、受け取った前記チャネル種別指定指令に応じて、指示されたチャネル種別に対応したソフトウェアを起動し、該当チャネル種別のチャネルカードとしての機能動作を開始することを特徴とするチャネルカード割当方法。
【請求項６】
前記各チャネルカード各々の動作状態を監視し、制御チャネル用カードとして割り当てたチャネルカードの異常を検出すると、通話チャネル用カードとして割り当てたチャネルカードの中から代替えの制御チャネル用カードとして割り当てし直すチャネルカードを選択し、該当チャネルカードに対し制御チャネル用カードとしての再起動を指示する前記チャネル種別指定指令を与えることを特徴とする請求項５記載のチャネルカード割当方法。
【発明の詳細な説明】
【０００１】
【発明の属する技術分野】
本発明は、無線基地局装置、及びそのチャネルカード割当方法に関し、特に各々が移動局に対する制御チャネル及び通話チャネルのうちの任意の一方のチャネルの機能をソフトウェア制御により共通のハードウェア構成で実現する複数のチャネルカードを備えた移動通信システムの無線基地局装置と、それに用いられるチャネルカードと、その制御チャネル用か通話チャネル用かの割当方法に関する。
【０００２】
【従来の技術】
Ｗ−ＣＤＭＡなどの移動通信システムの無線基地局装置は、チャネルごとに電子回路を搭載し通信機能を備えたカード（チャネルカード）を用いて構成されているものがある。このチャネルカードは、制御チャネルを処理するための制御チャネル用カードと、通話チャネルを処理するための通話チャネル用カードとの２種類が存在する。ただし、ハードウェアは同一であり、ソフトウェアがそれぞれ専用となる。よって、搭載されるソフトウェアにより、制御チャネル用カード、通話チャネル用カードどちらにも成り得る。
【０００３】
当該チャネルカードを、制御チャネル用カードとして起動するのか、通話チャネル用カードとして起動するのかのチャネルカード種別判定方法については、別途用意されるシステム情報ファイルに制御チャネル用カード実装情報を設定しておき、これに従うという方法になる。すなわち、システム上、運用形態によって実装枚数が異なる制御チャネル用カードの実装枚数と実装位置とを予め決定しておき、それに従い制御チャネル用カードを起動し、残りを通話チャネル用カードとして起動する方法である。チャネルカードは起動時に制御チャネル用カード実装情報を参照し、自チャネルカードの実装位置によってチャネルカード種別を判定しそれに従い起動する。
【０００４】
【発明が解決しようとする課題】
上述した従来の無線基地局装置では次のような問題がある。第１の問題点は、運用形態により制御チャネル用カード枚数が異なるため、これを変更する必要がある場合には、システム情報ファイルの制御チャネルカード実装情報を設定変更し、且つシステムリセットを要する点である。第２の問題点は、無線基地局装置内のチャネルカード実装状況とシステム情報ファイルの設定に相違があると、制御チャネル用カードをつくり出すことができない場合があることである。第３の問題点は、制御チャネル用カードに異常が発生し運用継続不可能という状態に陥った場合、代替えの制御チャネル用カードを運用させることができないという点である。システム運用上、制御チャネル用カードの運用は必須であるため、通話チャネル用カードを制御チャネル用カードとして再起動し運用させる必要がある。
【０００５】
本発明の目的は、制御チャネル用カード枚数変更の際の操作を省くと共に、常時制御チャネル用カードを必要枚数分運用継続させることによるシステム運用上の保守性の向上を可能とした無線基地局装置、及びそのチャネルカード割当方法を提供することにある。
【０００６】
【課題を解決するための手段】
本発明のチャネルカードは、移動通信システムの無線基地局装置本体に実装され、移動局に対する制御チャネル及び通話チャネルのうちの任意の一方のチャネルの機能をソフトウェア制御により共通のハードウェア構成で実現するチャネルカードにおいて、前記無線基地局装置本体への実装後の立ち上げ時に、前記装置本体へ自カードが制御チャネル用カードとして起動すべきか通話チャネル用カードとして起動すべきかを問い合わせるチャネル種別問い合わせ要求を送信し、前記装置本体から制御チャネル用カードとして起動すべきか通話チャネル用カードとして起動すべきかを指示するチャネル種別指定指令を受信すると、指示されたチャネル種別に対応したソフトウェアを起動し、該当チャネル種別のチャネルカードとしての機能動作を開始する手段を有する。
【０００７】
また上記構成において、前記チャネルカードが、前記装置本体からの通話チャネル用カードを指示するチャネル種別指定指令に従って通話チャネル用カードとして一旦起動した後、前記装置本体から制御チャネル用カードを指示するチャネル種別指定指令を受信すると、制御チャネル用カードとして再起動する構成とすることができる。
【０００８】
本発明の無線基地局装置は、移動通信システムの無線基地局装置において、移動局に対する制御チャネル及び通話チャネルのうちの任意の一方のチャネルの機能をソフトウェア制御により実現する共通のハードウェア構成を有し、制御チャネル用カード及び通話チャネル用カードに共通な実装位置に実装され、立ち上げ時に、自カードが制御チャネル用カードとして起動すべきか通話チャネル用カードとして起動すべきかを問い合わせるチャネル種別問い合わせ要求を出力し、制御チャネル用カードとして起動すべきか通話チャネル用カードとして起動すべきかを指示するチャネル種別指定指令を受けると、指示されたチャネル種別に対応したソフトウェアを起動し、当該チャネル種別のチャネルカードとしての機能動作を開始する複数のチャネルカードと、自装置の運用形態を判別し必要な制御チャネル用カードの数量を算出し、前記複数のチャネルカードの各々からの前記チャネル種別問い合わせ要求に基づいてこれらチャネルカードの実装状況を認識し、前記必要数量分のチャネルカードに対し制御チャネル用カードを指示する前記チャネル種別指定指令を送信し、残りのチャネルカードに対し通話チャネル用カードを指示する前記チャネル種別指定指令を送信する制御手段とを備える。
【０００９】
また上記構成において、前記複数のチャネルカード各々の動作状態を監視し、制御チャネル用カードとして割り当てたチャネルカードの異常を検出すると、前記制御手段に代替えの制御チャネル用カードの割り当てを要求するリソース制御要求を送信する監視手段を備え、前記制御手段が、前記監視手段から前記リソース制御要求を受信すると、通話チャネル用カードとして割り当てたチャネルカードの中から代替えの制御チャネル用カードとして割り当てし直すチャネルカードを選択し、該当チャネルカードに対し制御チャネル用カードを指示する前記チャネル種別指定指令を送信する構成とすることができる。
【００１０】
本発明のチャネルカード割当方法は、各々が移動局に対する制御チャネル及び通話チャネルのうちの任意の一方のチャネルの機能をソフトウェア制御により共通のハードウェア構成で実現する複数のチャネルカードを備えた移動通信システムの無線基地局装置のチャネルカード割当方法において、無線基地局装置の運用形態を判別し必要な制御チャネル用カードの数量を算出し、前記各チャネルカードの立ち上げ時に、制御チャネル用カードとして起動すべきか通話チャネル用カードとして起動すべきかを問い合わせるチャネル種別問い合わせ要求を発生し、前記チャネル種別問い合わせ要求に基づいてこれらチャネルカードの実装状況を認識し、前記必要数量分のチャネルカードに対し制御チャネル用カードとしての起動を指示するチャネル種別指定指令を与え、残りのチャネルカードに対し通話チャネル用カードとしての起動を指示するチャネル種別指定指令を与え、前記各チャネルカードで、受け取った前記チャネル種別指定指令に応じて、指示されたチャネル種別に対応したソフトウェアを起動し、該当チャネル種別のチャネルカードとしての機能動作を開始する工程を有する。
【００１１】
また上記工程において、前記各チャネルカード各々の動作状態を監視し、制御チャネル用カードとして割り当てたチャネルカードの異常を検出すると、通話チャネル用カードとして割り当てたチャネルカードの中から代替えの制御チャネル用カードとして割り当てし直すチャネルカードを選択し、該当チャネルカードに対し制御チャネル用カードとしての再起動を指示する前記チャネル種別指定指令を与える工程を含むことができる。
【００１２】
【発明の実施の形態】
まず本発明の概要を説明する。本発明の無線基地局装置は、自装置内にて運用形態を判別し必要な制御チャネル用カード枚数を算出し、チャネルカードの実際の（任意の）実装状況に応じて必要枚数分を制御チャネル用カードとして割り当て起動させる。残りを通話チャネル用カードとして起動させる。又、チャネルカードの状態を常時監視し、制御チャネル用カードに異常があった場合には正常な通話チャネル用カードを代替えの制御チャネル用カードとして再起動し運用する。チャネルカードは常に制御チャネル用もしくは通話チャネル用としての再起動が可能な様に準備しておく。
【００１３】
本発明によれば、無線基地局装置内にてチャネルカード割り当てを行うことにより性能向上、操作性向上につながる。又、チャネルカード異常時にもチャネルカード割り当てを用いて無線基地局装置の運用継続が可能となるため、保守性向上につながる。
【００１４】
次に、本発明の実施の形態について図面を参照して詳細に説明する。
【００１５】
図１は本発明の一実施の形態を示すブロック構成図であり、Ｗ−ＣＤＭＡ方式の移動通信システムの無線基地局装置を示す。図１において本発明の無線基地局装置１は、制御データＣＤにより無線基地局装置全体を制御する共通制御部１０と、上位装置である無線ネットワーク制御装置５と伝送路を介して信号の送受信を行う伝送路インタフェース（Ｉ／Ｆ）部２０と、サービスエリア内を移動する移動端末６と無線回線を介して信号の送受信を行う無線送受信部４０と、伝送路Ｉ／Ｆ部及び無線送受信部間に設けられ、移動局（移動端末）に対する各種制御信号，通話信号（ユーザデータＵＤ）等のチャネル対応のベースバンド信号の符号化、復号化処理等を行うベースバンド信号処理部３０とを備えている。
【００１６】
共通制御部１０は、無線基地局装置内のリソース管理、発着信制御機能を有する呼処理監視制御機能部であるＣＰカード１１と、無線基地局装置内の全カードの状態管理、状態制御機能を有する保守監視制御機能部であるＳＶカード１２と、システムデータやプログラム等の各種ソフトウェア情報を記憶するシステムデータ記憶機能部であるＳＤＭカード１３とを含んで構成されている。
【００１７】
ベースバンド信号処理部３０は、移動端末との間の無線回線用チャネルに対応した各種機能チャネルデータの符号化、復号化機能を有する複数のＣＨ（チャネル）カード３１（３１−０＜＃０＞〜３１−Ｎ＜＃Ｎ＞）を含んで構成されている。
【００１８】
上記各カードは、コネクタを有する配線基板上に、その機能に応じて必要な電子回路を搭載して構成されている。電子回路としては、プログラム（ソフトウェア）制御のプロセッサと、そのプログラム及び各種データを格納するメモリ（フラッシュメモリ等の書き換え可能な不揮発性メモリ）と、プロセッサにより制御され必要な機能を実現する他の回路部品等を備えている。
【００１９】
無線基地局装置本体は、各カードを実装するためのコネクタを有するスロットが設けられ、実装されたカードに対し、相互接続されたコネクタを介して、電源供給、各種信号の送受信を行う。
【００２０】
ＣＨカード３１については、実装されるソフトウェアによって、制御チャネル用として運用するＣＨ−Ｃカードと、通話チャネル用として運用するＣＨ−Ｔカードとのどちらとしてでも起動する。また、無線基地局装置の収容通話チャネル数によってＣＨカード３１の実装枚数は可変となる。このＣＨカード３１の実装位置は、ＣＨ−Ｃカード，ＣＨ−Ｔカードの区別なく、ＣＨカード用のスロットならば任意の位置に実装することができる。
【００２１】
このＣＨカード３１の構成をさらに詳細に説明する。各ＣＨカード３１は、図示していないが、通常のプロセッサを有するＣＯＮＴ部と、ディジタル信号処理用プロセッサを有するＤＳＰ部とにより構成されており、各々にその制御用ソフトウェアが存在する。ＣＯＮＴ部は、制御チャネル用と通話チャネル用とで兼用のソフトウェアであるが、ＤＳＰ部は、制御チャネル用と通話チャネル用とでそれぞれ専用のソフトウェアとなる。すなわち、ＣＨカード３１に格納（ダウンロード）されるソフトウェアは、ＣＯＮＴ部、制御チャネル用ＤＳＰ部、及び通話チャネル用ＤＳＰ部の３つになる。ＤＳＰ部ではベースバンド信号処理を行い、ＣＯＮＴ部はＤＳＰ部を制御する。
【００２２】
ＣＨカード３１へ上記各ソフトウェアを格納する方法としては、ＣＨカード単体の製造時にメモリ（書き換え可能な不揮発性メモリ）に書き込んでおく方法や、無線基地局装置本体への実装時に本体側（例えば、ＳＤＭカード１３）からソフトウェアをダウンロードしてメモリに書き込む方法などがある。
【００２３】
ＣＨカード３１を起動する処理としては、まずＣＯＮＴ部を起動し（以下、起動初期処理と称す）、次にそのＣＯＮＴ部により、制御チャネル用か通話チャネル用かのいずれかのＤＳＰ部を起動する（以下、起動処理と称す）順により行われる。
【００２４】
次に、無線基地局装置立ち上げ時のＣＨカード３１の割り当て方法について、図１と共に図２を参照して説明する。なお、無線基地局装置運用途中におけるＣＨカード３１の実装数追加時の動作も同様である。
【００２５】
ベースバンド信号処理部３０の各ＣＨカード３１（３１−０〜３１−Ｎ）は、自カードの起動初期処理Ｓ１を行いＣＯＮＴ部を起動した後、そのＣＯＮＴ部により、共通制御部１０のＣＰカード１１へＣＨ種別問い合わせ要求Ｄ１を送信し、自カードがＣＨ−Ｃカードとして起動すべきかＣＨ−Ｔカードとして起動すべきかの問い合わせを行う。
【００２６】
ＣＰカード１１は、当該無線基地局装置の運用形態に応じて必要なＣＨ−Ｃカード枚数を算出し（ＣＨカード割り当て処理Ｓ２）、ＣＨ種別（ＣＨ−Ｃ，ＣＨ−Ｔ）の問い合わせのあったＣＨカード３１に対し、ＣＨ−Ｃカードとして起動すべきかＣＨ−Ｔカードとして起動すべきかを指示するためのＣＨ種別指定指令Ｄ２を送信する。すなわち、ＣＨカード３１の実装位置のいかんに関わらず、ＣＨ種別問い合わせ要求Ｄ１により、それらの実際の実装状態（実装位置、実装数量）を認識することができ、どのＣＨカード３１をＣＨ−ＣカードあるいはＣＨ−Ｔカードにしたらよいか判定し、実行させることができる。
【００２７】
これにより当該ＣＨカード３１（そのＣＯＮＴ部）は、指示されたＣＨ種別に従って自カードの起動処理Ｓ３（制御チャネル用ＤＳＰ部または通話チャネル用ＤＳＰ部の起動）を行う。ＣＨ−Ｃカード（制御チャネル用ＤＳＰ部起動の場合）、もしくはＣＨ−Ｔカード（通話チャネル用ＤＳＰ部起動の場合）として起動完了したＣＨカード３１は、起動完了したことを状態変化報告Ｄ３にて共通制御部１０のＳＶカード１２へ報告する。
【００２８】
ＳＶカード１２は、各ＣＨカード３１からの状態変化報告Ｄ３を受け、その起動状況を保持しておく（ＣＨカード起動状態保存処理Ｓ４）。そして、ＣＰカード１１へＣＨ起動通知Ｄ４を送信し、各ＣＨカード３１が起動したことを通知する。ＳＶカード１２で保持している各ＣＨカード３１の起動状況は、ＣＰカード１１との共有メモリであるＳＤＭカード１３に設定され、ＣＰカード１１からの参照が可能である。
【００２９】
ここで、ＣＰカード１１で行なわれる、無線基地局装置の運用形態に応じた必要なＣＨ−Ｃカード枚数の算出の具体例を説明する。
【００３０】
無線基地局では周辺のサービスエリアを複数（例えば、１〜６）のエリア（セクタと称す）に分割している。制御チャネル（例えば、ＣＰＩＣＨ／ＰＣＣＰＣＨ／ＳＣＣＰＣＨ／ＰＲＡＣＨ等）は各セクタ毎に必要となるので、６セクタ構成であれば各制御チャネルが６つずつ必要となる。
【００３１】
また、１つのＣＨカード３１で複数の制御チャネルが制御可能であるが、各セクタの許容範囲（セル半径）によって１ＣＨカードにおけるＰＲＡＣＨを許容できる数に制限がある。例えば、
・セル半径１０Ｋｍ未満→１ＣＨカードで３セクタ分まで、
・セル半径１５Ｋｍ未満→１ＣＨカードで２セクタ分まで、
・セル半径１５ｋｍ以上→１ＣＨカードで１セクタ分まで、
となる。
【００３２】
よって、上記セクタ構成と各セクタのセル半径とで、必要なＣＨ−Ｃ枚数が決まる。例えば、１セクタ構成の場合は、ＣＨ−Ｃカード必要数は１となり（必要最小数）、６セクタ構成且つセル半径１５ｋｍ以上の場合は、ＣＨ−Ｃカード必要数は６となる（必要最大数）。
【００３３】
次に、無線基地局装置運用中でのＣＨ−Ｃカード異常発生によるＣＨカードの割り当て方法について、図３を参照して説明する。
【００３４】
無線基地局装置の運用中にＣＨ−Ｃカードに異常が発生し運用継続が不可能となった場合には、代替えのＣＨ−Ｃカードを起動させる必要がある。ＳＶカード１２では全カードの動作状態を監視しており、ＣＨカード３１のうちのあるＣＨ−Ｃカードでの異常を検出（ＣＨカード監視制御処理Ｓ５）した場合、リソース制御要求Ｄ５にてＣＰカード１１へ代替えのＣＨ−Ｃカードを割り当てるように要求する。
【００３５】
ＣＰカード１１では、各ＣＨカード３１の起動状況をチェックし、ＣＨ−Ｔカードとして運用中のうちからＣＨ−Ｃカードとして再起動させるＣＨ−Ｔカードを検索（ＣＨカード割り当て処理Ｓ２）し、当該ＣＨ−Ｔカードに対しＣＨ種別指定指令Ｄ２を送信する。
【００３６】
指示されたＣＨ−Ｔカードは、ＣＨ−Ｃカードとしての再起動処理（起動処理Ｓ３）を行う。ＣＨ−Ｃカードとして起動完了したＣＨカード３１は、起動完了したことを状態変化報告Ｄ３にてＳＶカード１２へ報告する。
【００３７】
ＳＶカード１２は、該当ＣＨカード３１の起動状況を保持しておく（ＣＨカード起動状態保存処理Ｓ４）。そして、ＣＰカード１１へＣＨ起動通知Ｄ４を送信し、該当ＣＨカードが起動したことを通知する。ＳＶカード１２で保持している該当ＣＨカード３１の起動状況は、立ち上げ時と同様にＣＰカード１１との共有メモリ（ＳＤＭカード１３）に設定され、ＣＰカード１１からの参照が可能である。
【００３８】
【発明の効果】
本発明によれば、運用形態の違いによる制御用ＣＨカードの割り当てをダイナミックに制御することが可能であるので、無線基地局装置の運用形態によるファイルの設定変更等の操作が一切不要になる。また、ＣＨカードの実装状態を判断した上でＣＨカードの割り当てをダイナミックに制御することが可能であるので、無線基地局装置内のＣＨカード実装状態がいかなる状態であっても運用が可能になる。さらに、ＣＨカード割り当てを用いることによりＣＨ−ＴカードをＣＨ−Ｃカードとして再起動することができＣＨ−Ｃカードを常時運用継続させることが可能となるので、無線基地局装置運用中にＣＨ−Ｃカードで異常が発生した場合に装置としての運用継続が可能となる。
【図面の簡単な説明】
【図１】本発明の一実施の形態を示すブロック構成図である。
【図２】無線基地局装置立ち上げ時のチャネルカード割り当てシーケンスを示す図である。
【図３】制御用チャネルカード異常発生時のチャネルカード割り当てシーケンスを示す図である。
【符号の説明】
１    無線基地局装置
６    移動端末
１０    共通制御部
１１    ＣＰカード
１２    ＳＶカード
１３    ＳＤＭカード
３０    ベースバンド信号処理部
３１（３１−０〜３１−Ｎ）    ＣＨカード
４０    無線送受信部
【図１】
0003616582.tif 000002
【図２】
0003616582.tif 000003
【図３】
0003616582.tif 000004